(57)【要約】【課題】呼制御プロトコルを利用して原稿の画像データを送受信するファクシミリ装置において、送信者が送信した原稿の画像データの処理を受信側ファクシミリ装置に指示することができるファクシミリ装置を提供すること。【解決手段】ＳＩＰにより確立したメディアセッションで原稿の画像データを送信する画像データ送信手段と、送信する前記画像データに対して実行すべき処理を示すテキスト形式のコマンドを指定するコマンド指定手段と、指定された前記コマンドをＳＩＰメソッドにより送信するコマンド送信手段と、を備えるファクシミリ装置３０。【選択図】図８
2006025178.tif 000002
【特許請求の範囲】
【請求項１】
呼制御プロトコルにより確立したメディアセッションで画像データを送信する画像データ送信手段と、送信する前記画像データに対して実行すべき処理を示すテキスト形式のコマンドを指定するコマンド指定手段と、指定された前記コマンドを前記呼制御プロトコルのメソッドにより送信するコマンド送信手段と、を備えることを特徴とするファクシミリ装置。
【請求項２】
前記コマンド送信手段が行う前記コマンドの送信は、前記メディアセッションが確立されている間に行われるものであることを特徴とする請求項１記載のファクシミリ装置。
【請求項３】
呼制御プロトコルにより確立したメディアセッションで画像データを受信する画像データ受信手段と、前記呼制御プロトコルのメソッドによりテキストデータを受信するテキストデータ受信手段と、テキスト形式のコマンドと実行すべき処理とを対応付けて記憶するコマンド記憶手段と、前記テキストデータ受信手段により受信したテキストデータが前記コマンド記憶手段に記憶する前記コマンドに該当する場合に、当該コマンドに対応する処理を前記画像データ受信手段により受信した画像データに対して実行する手段と、を備えることを特徴とするファクシミリ装置。
【請求項４】
呼制御プロトコルにより確立したメディアセッションで画像データを受信する画像データ受信手段と、前記呼制御プロトコルのメソッドによりテキストデータを受信するテキストデータ受信手段と、前記テキストデータ受信手段により受信したテキストデータに、画像データを転送すべきことを示す転送指示コマンドが含まれている場合に、当該テキストデータの所定領域に記載されたテキストデータを所定の宛先へ転送する転送手段と、を備えることを特徴とするファクシミリ装置。
【請求項５】
前記転送手段は、前記テキストデータ受信手段により受信したテキストデータに、前記所定の宛先を示す転送先指示コマンドが更に含まれている場合に、前記所定領域に記載されたテキストデータを前記転送先指示コマンドが示す転送先へ転送することを特徴とする請求項４記載のファクシミリ装置。
【発明の詳細な説明】
【技術分野】
【０００１】
本発明は、ＳＩＰ（Session  Initiation  Protocol）等の呼制御プロトコルを利用して、画像データ及びテキストデータの送受信を行うファクシミリ装置に関する。
【背景技術】
【０００２】
近年、ＩＰ電話通信、電子メール通信など、ＩＰ網を通じて種々のデータ通信を行う通信装置が普及しており、音声データと画像データの両方についてデータ通信を行うファクシミリ装置も提案されている。例えば、特許文献１に開示されているように、ＩＰ電話通信機能とＩＴＵ−Ｔ勧告Ｔ．３８に準拠したＩＰファクシミリ通信機能を備え、ＩＰ電話通信とＩＰファクシミリ通信による送受信を同時に行うことができるファクシミリ装置がある。
【特許文献１】特開２００２−１０１２５６号公報
【発明の開示】
【発明が解決しようとする課題】
【０００３】
従来の呼制御プロトコルを利用したファクシミリ装置では、送信する原稿の画像データに対する処理、例えば印刷、転送、保存等の何れを実行すべきかは、受信側ファクシミリ装置の設定等によって定まり、原稿の画像データの送信側から受信側ファクシミリ装置に対してその画像データに対して行うべき処理を指示することができなかった。このため、送信側ユーザが送信原稿の画像データに対して希望する処理を受信側において実行させるためには、受信側ファクシミリ装置のユーザに電話などで連絡をとって設定変更を依頼しなければならず、不便であった。
【０００４】
本発明は、かかる課題に鑑みてなされたものであり、呼制御プロトコルを利用して原稿の画像データを送受信するファクシミリ装置において、送信者が送信した原稿の画像データの処理を受信側ファクシミリ装置に指示することができるファクシミリ装置を提供することを目的とする。
【課題を解決するための手段】
【０００５】
請求項１記載のファクシミリ装置は、呼制御プロトコルにより確立したメディアセッションで画像データを送信する画像データ送信手段と、送信する前記画像データに対して実行すべき処理を示すテキスト形式のコマンドを指定するコマンド指定手段と、指定された前記コマンドを前記呼制御プロトコルのメソッドにより送信するコマンド送信手段と、を備えることを特徴としている。
【０００６】
請求項２記載のファクシミリ装置は、請求項１記載のファクシミリ装置において、前記コマンド送信手段が行う前記コマンドの送信は、前記メディアセッションが確立されている間に行われるものであることを特徴としている。
【０００７】
請求項３記載のファクシミリ装置は、呼制御プロトコルにより確立したメディアセッションで画像データを受信する画像データ受信手段と、前記呼制御プロトコルのメソッドによりテキストデータを受信するテキストデータ受信手段と、テキスト形式のコマンドと実行すべき処理とを対応付けて記憶するコマンド記憶手段と、前記テキストデータ受信手段により受信したテキストデータが前記コマンド記憶手段に記憶する前記コマンドに該当する場合に、当該コマンドに対応する処理を前記画像データ受信手段により受信した画像データに対して実行する手段と、を備えることを特徴としている。
【０００８】
請求項４記載のファクシミリ装置は、呼制御プロトコルにより確立したメディアセッションで画像データを受信する画像データ受信手段と、前記呼制御プロトコルのメソッドによりテキストデータを受信するテキストデータ受信手段と、前記テキストデータ受信手段により受信したテキストデータに、画像データを転送すべきことを示す転送指示コマンドが含まれている場合に、当該テキストデータの所定領域に記載されたテキストデータを所定の宛先へ転送する転送手段と、を備えることを特徴としている。
【０００９】
請求項５記載のファクシミリ装置は、請求項４記載のファクシミリ装置において、前記転送手段は、前記テキストデータ受信手段により受信したテキストデータに、前記所定の宛先を示す転送先指示コマンドが更に含まれている場合に、前記所定領域に記載されたテキストデータを、前記転送先指示コマンドが示す転送先へ転送することを特徴としている。
【発明の効果】
【００１０】
請求項１記載のファクシミリ装置を画像データの送信側、請求項３記載のファクシミリ装置を受信側とすることにより、送信側において、送信する画像データの処理を受信側ファクシミリ装置に指示することができる。しかも、コマンドの送信は画像データの送信と別個独立したタイミングで行われるので、例えば、画像データの送信中或いは画像データの送信に前後してコマンドを送信したり、１度コマンドを送信した後更に追加してコマンドを送信することも可能である。電子メールの本文にコマンドを記載して送信するインターネットファクシミリ装置などでは、原稿の画像データとコマンドが１つの纏まったファイルとなって送信されるため、原稿の画像データの送信とテキストデータの送信を別個独立して行うことはできなかったが、本発明によればそれが可能となる。
【００１１】
請求項２記載のファクシミリ装置によれば、例えば受信側ファクシミリ装置は、コマンドを受信したときに確立されているメディアセッションで受信した画像データを当該コマンドが指示する処理の対象とすることができる。
【００１２】
請求項４記載のファクシミリ装置を受信側、呼制御プロトコルのメソッドにより転送コマンドを送信できるファクシミリ装置を送信側とすれば、画像データ及びテキストデータの送受信を行うことができるとともに、該受信側ファクシミリ装置が受信したテキストデータを所定の宛先へ自動的に転送させることができる。
【００１３】
請求項５記載のファクシミリ装置を受信側、呼制御プロトコルのメソッドにより転送コマンドを送信できるファクシミリ装置を送信側とすれば、画像データ及びテキストデータの送受信を行うことができるとともに、該受信側ファクシミリ装置が受信したテキストデータを送信側が指定した宛先へ自動的に転送させることができる。
【発明を実施するための最良の形態】
【００１４】
以下本発明の第１の実施の形態に係るファクシミリ装置として、呼制御プロトコルを利用して原稿の画像データを送信するＩＰファクシミリ通信機能、Ｇ３ファクシミリ通信機能、クライアント装置からの要求に応じて前記各種のファクシミリ通信を行うファクシミリサーバ機能等を備える複合機型のファクシミリ装置を例に挙げて説明する。
【００１５】
図１にファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース１３を備え、各部２乃至１３はバス１４によって接続されている。
【００１６】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、短縮番号やワンタッチキーに対応付けられた宛先ファクシミリ番号、宛先ＩＰ電話番号等を格納する電話帳４ａが記憶されている。さらに、宛先ＩＰ電話番号（宛先情報）や送信する原稿の種別（送信する画像データの種別）と対応付けてテキストデータが登録されている。例えば、図２に示すように、宛先ＩＰ電話番号ごとにテキストデータを登録（記憶）する第１テーブル４ｂ、図３に示すように、送信する原稿の種別ごとにテキストデータを登録（記憶）する第２テーブル４ｃがＲＡＭ４に形成されている。なお、テーブル４ｂ、４ｃの「テキストデータ」欄に示す「メッセージＡ」、「メッセージＢ」等は、ユーザが任意に登録したテキストデータを意味する。
【００１７】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３ファクシミリ送受信時にモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化し、また、受信した画像データ等を復号する。
【００１８】
読取部９は、原稿の画像データを読取るものであり、例えば、ＣＣＤカラーラインセンサ、Ａ／Ｄコンバータ、画像処理回路等で構成される。記録部１０は、給紙カセットから記録紙を取り出して、受信画像データ、読取画像データ等を記録紙上に記録する。表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、スタートキー、文字入力キー、ファンクションキーなど各種の操作キーを具備し、ユーザによる各種の操作は、この操作部７において行われる。
【００１９】
ＬＡＮインタフェース１３は、ファクシミリ装置１とＬＡＮ（ローカルエリアネットワーク）１６とを接続するインターフェースであり、これを通じてファクシミリ装置１は、同じくＬＡＮ１６に接続されたクライアントＰＣ、ルータ１９等と通信を行う。更にはルータ１９を通じてＩＰ網１７上の自装置１と同様のファクシミリ装置１８とＳＩＰを利用したＩＰファクシミリ通信を行う。
【００２０】
上記構成を備えるファクシミリ装置１は、ＴＣＰ／ＩＰ、ＳＩＰ、ＲＴＰ（Real-time  Transport  Protocol）、ＳＤＰ（Session  Description  Protocol）などを実装して、ＳＩＰによりメディアセッションを確立した上で、例えばＲＴＰにより原稿の画像データを相手先と送受信する。また、ＳＩＰメソッド「ＭＥＳＳＡＧＥ」を使用して相手先とテキストデータの送受信を行う機能をも備える。画像データの送受信を行うための通信プロトコルは、ＲＴＰに限定されず、これに代えてＳＭＴＰ、ＨＴＴＰ等を採用してもよい。
【００２１】
次に、上記構成及び通信機能を備えるファクシミリ装置１が自装置１と同様の構成及び通信機能を備えるファクシミリ装置とＩＰファクシミリ通信により画像データ及びテキストデータを送信する際の処理動作について、図４に示すシーケンス図並びに図５及び図６に示すフローチャートに基づいて、より詳細に説明する。なお、これらの図に基づいて説明するファクシミリ装置１の処理動作は、それぞれ、ＲＯＭ３に格納された制御プログラムに基づいて制御手段であるＣＰＵ２が発行する命令に従って実行される。以下説明の便宜のため、発呼側となるファクシミリ装置１を送信機１Ａ、被呼側となるファクシミリ装置１を受信機１Ｂと称して説明する。
【００２２】
まず、ＩＰファクシミリ通信により送信機１Ａと受信機１Ｂの間で画像データ及びテキストデータが送受信される際の通信手順を図４のシーケンス図に基づいて説明する。送信機１Ａにおいて、送信操作がなされると、送信機１Ａと受信機１Ｂの間で、図示するようなメディアセッションを確立するための呼制御セッションが形成される。すなわち、送信機１Ａは、ＳＩＰサーバ２０に対し受信機１ＢのＩＰ電話番号を指定した、セッション参加リクエスト「ＩＮＶＩＴＥ」により受信機１Ｂの呼出を要求する（Ｔ１）。「ＩＮＶＩＴＥ」を受けたＳＩＰサーバ２０は、送信機１Ａから指定されたＩＰ電話番号に対応するＩＰアドレスを、ＩＰ電話番号とＩＰアドレスの対応付け情報を持つロケーションサーバ（不図示）に問い合わせて、取得した受信機１ＢのＩＰアドレスに対して、送信機１Ａから受けた「ＩＮＶＩＴＥ」を送出することにより呼び出しを行う。ＳＩＰサーバ２０の呼出しに対して受信機１Ｂが応答すると、受信機１Ｂは、「ＩＮＶＩＴＥ」を受信し、ＳＩＰサーバ２０に対して成功応答コード「２００」を送出する（Ｒ１）。前記成功応答コード「２００」を受け取った送信機１Ａは、成功応答コード「２００」を受け取ったことを示す情報「ＡＣＫ」をＳＩＰサーバ２０を介して受信機１Ｂに送信する（Ｔ２）。その後、送信機１Ａと受信機１Ｂとの間に、メディアセッションが確立され、送信機から受信機１Ｂへ画像データが送信される。
【００２３】
ユーザにより指定されたテキストデータは（テキストデータの指定については後述する。）、メディアセッションが確立されている間、メディアセッションにおける画像データの送信処理と別個独立したタイミングでＳＩＰメソッド「ＭＥＳＳＡＧＥ」によって受信機１Ｂへ送信される（Ｔ３）。すなわち、ユーザにより指定されたテキストデータは、画像データの送信処理と同時に、或いは、前記画像データの送信処理に前後して、ＳＩＰメソッド「ＭＥＳＳＡＧＥ」によって受信機１Ｂへ送信される。なお、ＳＩＰメソッドは、指定された任意のテキストデータを相手先へ送信することができるものであれば、これに限定されず、その他のメソッドを使用してもよい。
【００２４】
受信機１Ｂは、送信機１Ａから受信した画像データ、テキストデータに対して、それぞれ所定の処理を施す。例えば、受信画像データに対しては、印刷処理、転送処理、画面表示処理等を行い、受信テキストデータに対しては、印刷処理、画面表示処理等を行う。また、受信機１Ｂにおいて、予めテキストデータと特定の処理動作を対応付けて記憶しておき、受信したテキストデータをコマンドとみなして対応する処理動作を実行するようにしてもよい。
【００２５】
送信機１Ａから受信機１Ｂへの画像データ及びテキストデータの送信処理が完了すると、送信機１Ａからセッションの終了を要求する「ＢＹＥ」がＳＩＰサーバ２０を介して受信機１Ｂへ送信され（Ｔ４）、受信機１Ｂが、成功応答コード「２００」をＳＩＰサーバ２０を介して送信機１Ａへ送信した後（Ｒ３）、通信が切断される。
【００２６】
次に、送信機１Ａの上記処理動作について、図５及び図６に示すフローチャートに基づいて更に詳細に説明する。
【００２７】
送信機１Ａにおいて、宛先電話番号（宛先情報）が、直接入力指定され、あるいは、短縮・ワンタッチ機能を利用して指定されると（Ｓ１）、指定された宛先電話番号からＩＰファクシミリ送信を行うか、Ｇ３ファクシミリ送信を行うかが判断される（Ｓ２）。該判断は、例えば電話番号の特定の桁に基づいて行われる。
【００２８】
Ｇ３ファクシミリ送信を行うと判断した場合は（Ｓ２：ＮＯ）、送信開始操作（スタートキーの押下など）があった後（Ｓ３：ＹＥＳ）、原稿の画像データをＧ３ファクシミリ通信により指定された電話番号の相手先装置へ送信する（Ｓ４）。
【００２９】
ＩＰファクシミリ送信を行うと判断した場合は（Ｓ２：ＹＥＳ）、テキストデータを送信するか否かの指示をユーザに求めるための処理動作として、例えば「テキストデータも送信しますか？」等の問合せ表示を行うとともに、その問合せ表示に対する肯定／否定指示操作（例えばＹ／Ｎの操作部１２からの入力）を受付ける。そして、肯定指示操作が行われたことによりテキストデータも送信すると判断した場合に（Ｓ５：ＹＥＳ）、ユーザの所定操作によりテキストデータが指定される（Ｓ６）。
【００３０】
ユーザによるテキストデータの指定は、前記Ｓ１で指定されたＩＰ電話番号に対応付けて第１テーブル４ｂに登録されたテキストデータからの選択、原稿の種別に対応付けて第２テーブル４ｃに登録されたテキストデータからの選択、又はユーザが直接文字等を入力操作することにより行われる。より具体的には、送信機１Ａは、前記Ｓ５で肯定判断をした後、例えば図７に示すような、テキストデータの指定方式を選択するための画面２２を表示部１１に表示する（Ｓ１０１）。該画面２２においては、「ＩＰ電話番号に対応付けて登録したテキストデータから選択する。」、「原稿種別に対応付けて登録したテキストデータから選択する。」、「直接入力する。」等の選択可能な項目が表示される。所定操作により何れかの項目が選択されると、それぞれ対応する画面２３、２４、２５が表示部１１に表示される。
【００３１】
「ＩＰ電話番号に対応付けて登録したテキストデータから選択する。」と表示された項目が選択されると（Ｓ１０２：宛先対応）、第１テーブル４ｂにおいて前記Ｓ１で指定されたＩＰ電話番号に対応付けて記憶されているテキストデータを選択可能に表示するテキストデータ選択画面２３が表示部１１に表示される（Ｓ１０３）。該画面２３において表示されたテキストデータの何れかが所定操作により選択されると、その選択結果が、後にテキストデータが送信されるまで、ＲＡＭ４に記憶される（Ｓ１０４）。
【００３２】
「原稿種別に対応付けて登録したテキストデータから選択する。」と表示された項目が選択されると（Ｓ１０２：原稿種別対応）、第２テーブル４ｃに登録されている原稿種別を選択可能に表示する原稿種別選択画面２４が表示部１１に表示される（Ｓ１０５）。該画面２４において表示された原稿種別の何れかが所定操作により選択されると、その選択結果が、後にテキストデータが送信されるまで、ＲＡＭ４に記憶される（Ｓ１０６）。
【００３３】
「直接入力する。」と表示された項目が選択されると（Ｓ１０２：直接入力）、例えば図示するようなテキストデータの入力画面２５を表示部１１に表示し（Ｓ１０７）、操作部１１のキー操作等によりテキストデータが直接入力操作された場合に、その入力されたテキストデータが後に送信されるまで記憶される（Ｓ１０８）。
【００３４】
前記Ｓ６の処理動作を実行した後又は前記Ｓ５において否定判断した後、送信開始指示操作（スタートキーの押下など）がなされると（Ｓ７）、送信機１Ａは、受信機１Ｂとの間で前記Ｔ１、Ｔ２等の呼制御セッションを形成して、メディアセッションを確立した上で（Ｓ８）、原稿の画像データの送信処理を行う（Ｓ９）。ここで送信される原稿の画像データは、読取部９によって読取られた原稿の画像データ、クライアントＰＣからファクシミリ送信命令とともに受け取った画像データ、予め自装置１に蓄積された画像データ等である。
【００３５】
そして、前記Ｓ５で肯定判断をした場合は（Ｓ１０：ＹＥＳ）、前記Ｓ１０４、Ｓ１０６又はＳ１０８において記憶した選択結果又は入力されたテキストデータに基づいて、指定された送信すべきテキストデータを読み出す。すなわち、Ｓ１０４の処理動作を実行した場合は、選択された宛先ＩＰ電話番号に対応付けられたテキストデータから選択されたものを、指定されたテキストデータとして、ＳＩＰメソッド「ＭＥＳＳＡＧＥ」により受信機１Ｂへ送信する（Ｓ１１）。Ｓ１０６の処理動作を実行した場合は、選択された原稿種別（画像データの種別）に対応付けられたテキストデータを、指定されたテキストデータとして、ＳＩＰメソッド「ＭＥＳＳＡＧＥ」により受信機１Ｂへ送信する（Ｓ１１）。Ｓ１０８の処理動作を実行した場合は、入力されたテキストデータを指定されたテキストデータとして、ＳＩＰメソッド「ＭＥＳＳＡＧＥ」により受信機１Ｂへ送信する（Ｓ１１）。その後、セッション終了を要求する「ＢＹＥ」を送出して受信機１Ｂとの間の通信を切断する。一方、前記Ｓ５で否定判断をした場合は（Ｓ１０：ＮＯ）、前記Ｓ１１の処理動作を行わずに「ＢＹＥ」を送出して通信を切断する（Ｔ４）。
【００３６】
なお、本実施の形態においては、Ｓ９の画像データの送信処理を行った後、Ｓ１１のテキストデータの送信処理を行っているが、Ｓ９の画像データの送信処理を行う前に、Ｓ１０及びＳ１１の処理動作を行って、テキストデータの送信処理を行うようにしてもよい。また、Ｓ９の画像データを送信処理をしながら、Ｓ１０及びＳ１１の処理動作を行って、テキストデータを送信するようにしてもよい。
【００３７】
また、本実施の形態においては、テキストデータを宛先ＩＰ電話番号や原稿種別と対応させて記憶しているが、テキストデータを他の情報と対応付けずに独立した形でＲＡＭ４の所定領域に複数登録しておき、前記Ｓ６において、登録されたそれらのテキストデータを選択可能に表示部１１に表示し、選択されたものを指定された送信すべきテキストデータとして前記Ｓ１１において送信するようにしてもよい。後に説明する第２及び第３の実施の形態においても同様である。
【００３８】
つぎに、本発明の第２の実施の形態に係るファクシミリ装置について、図面に基づいて説明する。第２の実施の形態に係るファクシミリ装置は、第１の実施の形態に係るファクシミリ装置と同様の構成及び通信機能を備え、さらに、ＳＩＰによりメディアセッションで送信する原稿の画像データの処理を受信側ファクシミリ装置に指示する機能を備える。すなわち、第２の実施の形態に係るファクシミリ装置では、メディアセッションで送信する原稿の画像データに対して実行すべき処理を示すコマンドをユーザの操作に従って指定することができ、原稿の画像データを送信するとともに指定されたテキスト形式のコマンドをＳＩＰメソッド「ＭＥＳＳＡＧＥ」により同じ相手先へ送信する。一方、受信側ファクシミリ装置においては、ＳＩＰメソッド「ＭＥＳＳＡＧＥ」により受信したテキストデータから前記コマンドを検出し、同じ送信元から受信した原稿の画像データに対して当該コマンドに対応する処理を実行する。なお、第２の実施の形態においてもテキストデータ（コマンドを含むテキストデータ）を送信するためのＳＩＰメソッドは、「ＭＥＳＳＡＧＥ」に限定されず、ユーザにより指定された任意のテキストデータを送信できるものであれば、その他の種類のものを使用してもよい。
【００３９】
以下、第２の実施の形態に係るファクシミリ装置３０が画像データを送受信する際の処理動作について図面に基づいて詳細に説明する。なお、第１の実施の形態に係るファクシミリ装置と同様の構成及び処理動作については、図面において同一符号を付してその説明を省略する。また、説明の便宜のため、第２の実施の形態においても、発呼側となるファクシミリ装置３０を送信機３０Ａ、被呼側となるファクシミリ装置３０を受信機３０Ｂと称して説明する。
【００４０】
ファクシミリ装置３０には、原稿の画像データに対して実行する種々の処理にそれぞれ対応付けられたコマンドが予め設定（記憶）されている。具体的には、ファクシミリ装置３０には、「印刷指示」、「ＦＡＸ転送指示」、「掲示板蓄積指示」、「回覧指示」等のテキスト形式のコマンドが設定されている。「印刷指示」は、受信した画像データを印刷すべきことを示すコマンドである。「ＦＡＸ転送指示」は、受信した画像データをＧ３ファクシミリにより転送すべきことを示すコマンドである。「掲示板蓄積指示」は、受信した画像データを電子掲示板に蓄積すべきことを示すコマンドである。「回覧指示」は、受信した画像データを回覧すべきことを示すコマンドである。なお、「ＦＡＸ転送指示」には「転送先」が、「回覧指示」には「回覧先」がその動作宛先を示すコマンドとして付加されるようになっている。
【００４１】
送信機３０Ａと受信機３０Ｂが画像データ及びコマンドを送受信する場合に形成される手順を図８に示す。図示するように、確立されたメディアセッションで送信機３０Ａから受信機３０Ｂへ原稿の画像データが送信された後（図８に示す手順は例示であり、原稿の画像データの送信前又は送信中であってもよい。）、前記画像データの送信処理とは別個独立したタイミングで送信機３０Ａは、ユーザの操作に基づき指定されたコマンド３１ａ、３１ｂをＳＩＰメソッド「ＭＥＳＳＡＧＥ」により受信機３０Ｂに対して、メディアセッションが確立されている間に送信する。図８に示すように、ＳＩＰメソッド「ＭＥＳＳＡＧＥ」により送信機３０Ａから受信機３０Ｂへ送信されるテキストデータ３２において、コマンド３１ａ、３１ｂは、コマンドとその他の情報との識別が可能なように、特定の形式にて記述されている。つまり、送信機３０Ａは、コマンドを特定の記号「＜」と「＞」で囲んだテキストデータを送信し、これを受信した受信機３０Ｂは、当該特定の記号に囲まれた部分を抽出してコマンドに対応する処理を実行する。例えば、図示するように、コマンドが「回覧指示」及び「回覧先」である場合は、受信機３０Ｂは、メディアセッションにおいて送信機３０Ａから受信した画像データをコマンド「回覧先」により指示される宛先情報「ユーザＡ」、「ユーザＢ」及び「ユーザＣ」へ回覧する。なお、図８に示す例においては、「＜回覧先＞」と「＜／回覧先＞の間に改行されつつ記述された情報が受信機３０Ｂによりそれぞれ宛先情報として抽出されるようになっている。また「＜回覧指示＞」と「＜／回覧指示＞」の間に記述された情報がコマンド「回覧指示」に係る情報として処理されるようになっている。勿論、コマンドの記述形式等は、送信機３０Ａと受信機３０Ｂとの間で予め定義されたものであればよく、これに限定されるものではない。
【００４２】
受信機３０Ｂは、画像データに対する処理が完了した後、その旨を示すテキストデータ、例えば「先に受信したファクシミリの回覧処理を行いました。」等、をＳＩＰメソッド「ＭＥＳＳＡＧＥ」により送信機３０Ａに送信し、送信機３０Ａにおいて、当該テキストデータが表示出力される。これにより、送信機３０Ａのユーザは、受信機３０Ｂにおいてコマンド処理が完了したことを知ることができる。
【００４３】
上記した送信機３０Ａの処理動作について図９及び図１０に示すフローチャートに基づいて、更に詳細に説明する。
【００４４】
送信機３０Ａにおいて、ユーザによりファクシミリ送信操作がなされ、Ｓ２において、指定された宛先電話番号（宛先情報）が、ＩＰ電話番号であると判断した場合（Ｓ２：ＹＥＳ）、原稿の画像データとともにメッセージを送信するか、若しくはコマンドを送信するか、或いは原稿の画像データのみを送信するかの指示をユーザに求めるための処理動作が行われる。例えば図１１に示すような、画面２１Ａを表示部１１に表示する。該画面２１Ａには、「原稿とメッセージを送信」、「原稿とコマンドを送信」、「原稿のみを送信」等の選択可能な項目が表示される。所定操作により何れかの項目が選択されると、それぞれ対応する画面が表示部１１に表示される。
【００４５】
「原稿とメッセージを送信」が選択されると、送信機３０Ａは、原稿の画像データとともにメッセージを送信すると判断し（Ｓ２０１：メッセージ付加）、Ｓ６へ移行して、第１の実施の形態で説明したＳ１０１乃至Ｓ１０８の処理動作を実行する。
【００４６】
「コマンドを付加して送信する。」が選択されると、送信機３０Ａは、原稿の画像データとともにコマンドを送信すると判断し（Ｓ２０２：コマンド付加）、送信する原稿の画像データに対して実行すべき処理を示すテキスト形式のコマンドを指定するための処理動作を実行する（Ｓ２０２）。該コマンドの指定は、ファクシミリ装置３０に予め設定された複数のコマンドからの選択操作により、又はユーザがコマンドの文字等を入力操作することにより行われる。具体的には、送信機３０Ａは、例えば図１１に示すような、コマンドの指定方式を選択するための画面２２Ａを表示部１１に表示する（Ｓ３０１）。該画面２２Ａにおいては、「登録されているコマンドから選択する。」、「コマンドを直接入力する。」等の選択可能な項目が表示される。所定操作により何れかの項目が選択されると、それぞれ対応する画面２３Ａ、２５Ａが表示部１１に表示される。
【００４７】
「登録されているコマンドから選択する。」と表示された項目が選択されると（Ｓ３０２：選択）、図１１に示すように、ファクシミリ装置３０に予め設定された複数のコマンドが選択可能に表示部１１に表示される。併せて、転送指示、回覧指示のように転送先、回覧先となる端末装置の宛先情報を入力するための入力欄も表示される（Ｓ３０３）。該画面２３Ａにおいて表示されたコマンドの中から何れかが所定操作により選択されると、その選択結果及び、「ＦＡＸ転送指示」又は「回覧指示」が選択された場合にあっては、入力された宛先情報が、後にそのコマンド等が送信されるまで、ＲＡＭ４に記憶される（Ｓ３０４）。
【００４８】
「コマンドを直接入力する。」と表示された項目が選択されると（Ｓ３０２：直接入力）、例えば図示するようなコマンドの入力画面２５Ａを表示部１１に表示される。併せて、転送指示、回覧指示のように転送先、回覧先となる端末装置の宛先情報を入力するための入力欄も表示される（Ｓ３０５）。該画面２５Ａにおいて表示された入力欄に、操作部１１のキー操作等により入力されたテキスト形式のコマンド及び、入力された場合にあっては宛先情報が、後にそのコマンド等が送信されるまでＲＡＭ４に記憶される（Ｓ３０６）。
【００４９】
前記Ｓ２０１において、「原稿のみを送信する。」が選択され、送信機３０Ａが原稿の画像データのみを送信すると判断した場合（Ｓ２０１：原稿のみ送信）、Ｓ６の処理動作が実行された場合、又はＳ２０２の処理動作が実行された場合は、続いて前記Ｓ７乃至Ｓ９の処理動作を実行する。
【００５０】
前記Ｓ６でテキストデータ（メッセージ）が指定された場合は、テキストデータを送信すると判断するとともに（Ｓ１０：ＹＥＳ）、コマンドを送信しないと判断し（Ｓ２０３：ＮＯ）、Ｓ１１へ移行して、前記Ｓ１０４、Ｓ１０６、又はＳ１０８において記憶した選択結果又は入力されたテキストデータに基づいて、指定された送信すべきテキストデータを読み出して、それをＳＩＰメソッド「ＭＥＳＳＡＧＥ」により受信機３０Ｂへ送信する（Ｓ１１）。
【００５１】
前記Ｓ２０２でテキストデータ（コマンド）が指定された場合は、テキストデータを送信すると判断するとともに（Ｓ１０：ＹＥＳ）、コマンドを送信すると判断し（Ｓ２０３：ＹＥＳ）、前記Ｓ３０４又はＳ３０６において記憶した選択結果又は入力されたテキストデータ（コマンド）に基づいて、指定された送信すべきテキストデータ（コマンド）及び、指定されている場合にあっては宛先情報を読み出す。そして読み出したコマンド及び宛先情報を所定の記述形式にて形成したものをＳＩＰメソッド「ＭＥＳＳＡＧＥ」により受信機３０Ｂへ送信する（Ｓ２０４）。例えば図８に示すように、読み出したコマンドにコマンドを識別する記号「＜」及び「＞」、「／＜」及び「＞」を付加したものと、宛先情報「ユーザＡ」等と、その宛先情報の記述領域を示すコマンド「＜回覧先＞」及び「＜回覧先＞」と、からなるテキストデータを送信する。
【００５２】
つぎに、原稿の画像データを受信する受信機３０Ｂの処理動作を図１２に示すフローチャートに基づいて詳細に説明する。受信機３０Ｂは、送信機３０Ａからメディアセッションで原稿の画像データを受信するとともに（Ｓ４０１）、ＳＩＰメソッド「ＭＥＳＳＡＧＥ」によりテキストデータを受信すると（Ｓ４０２：ＹＥＳ）、そのテキストデータにコマンドが含まれているか否かを判断する（Ｓ４０３）。受信機３０Ｂは、前述したような所定の記述形式で記述されているテキストデータを検出すると、当該受信したテキストデータにコマンドが含まれていると判断し（Ｓ４０３：ＹＥＳ）、例えば前記記号「＜」、「＞」等で囲まれたコマンドを解析し（Ｓ４０４）、当該コマンドに対応する処理をメディアセッションで受信した原稿の画像データに対して実行する（Ｓ４０５）。
【００５３】
例えば、コマンドが「印刷指示」である場合には、受信した原稿の画像データを記録部１０により記録紙に印刷する。コマンドが「ＦＡＸ転送指示」である場合は、コマンド「転送先」に指定される宛先情報を抽出して当該宛先情報に対して受信した原稿の画像データをＧ３ファクシミリにより転送する。コマンドが「掲示板蓄積指示」になっている場合には、掲示板蓄積領域（自装置３０が電子掲示板機能を有する場合は自装置の当該領域に、外部装置に電子掲示板蓄積領域が存在する場合には当該領域）に受信した画像データを蓄積して公開する。コマンドが「回覧指示」になっている場合には、コマンド「回覧先」に指定される宛先情報を抽出して当該宛先情報に対して受信した原稿の画像データを転送により回覧する。
【００５４】
Ｓ４０５の画像データの処理を行った後、受信機３０Ｂの機器設定等において応答メッセージの返信処理の設定が有効になっている場合には（Ｓ４０６：ＹＥＳ）、例えば「先に受信したファクシミリの回覧処理を行いました。」等のような、コマンド処理が完了した旨を示すテキストデータをＳＩＰメソッド「ＭＥＳＳＡＧＥ」によって送信機３０Ａに対して送信する（Ｓ４０７、Ｒ３）。
【００５５】
一方、前記Ｓ４０２において否定判断をした場合には、通常の受信処理、例えば印刷処理、所定クライアントＰＣへの配信処理等、を実行する（Ｓ４０８）。前記Ｓ４０３において否定判断した場合には、受信テキストデータの出力処理（例えば表示部１１への表示）を行う（Ｓ４０９）。また、Ｓ４０６において、受信機３０Ｂの機器設定等において応答メッセージの返信処理の設定が無効になっている場合には（Ｓ４０６：ＮＯ）、応答メッセージを返信せずに一連の処理動作を終了する。
【００５６】
以上説明した第２の実施の形態においては、Ｓ９の画像データの送信処理を行った後、Ｓ１０、Ｓ２０３及びＳ１１あるいはＳ１０、Ｓ２０３及びＳ２０４の処理動作を行っているが、Ｓ９の画像データの送信処理を行う前に、Ｓ１０、Ｓ２０３及びＳ１１あるいはＳ１０、Ｓ２０３及びＳ２０４の処理動作を行うようにしてもよい。また、Ｓ９の画像データの送信処理をしながら、Ｓ１０、Ｓ２０３及びＳ１１あるいはＳ１０、Ｓ２０３及びＳ２０４の処理動作を行うようにしてもよい。
【００５７】
以上の説明から明らかなように、第２の実施の形態に係るファクシミリ装置３０によれば、送信側において、メディアセッションで送信した原稿の画像データの処理を受信側ファクシミリ装置に指示することが可能となる。
【００５８】
つぎに、本発明の第３の実施の形態に係るファクシミリ装置について、図面に基づいて説明する。第３の実施の形態に係るファクシミリ装置は、第２の実施の形態に係るファクシミリ装置が備える構成及び通信機能を備え、さらに、電子メール通信機能と、送信側ファクシミリ装置のユーザが任意に指定するテキストデータを所定の宛先に対して転送する機能を備える。すなわち、第３の実施の形態に係るファクシミリ装置では、送信側ファクシミリ装置は、テキストデータを転送すべき旨を示す転送指示コマンドと転送先を示す転送先指示コマンドを、ユーザの操作に基づき任意に指定されたテキストデータとともにＳＩＰメソッド「ＭＥＳＳＡＧＥ」により受信側ファクシミリ装置へ送信する。一方、受信側ファクシミリ装置においては、受信したテキストデータからコマンドを検出し、所定領域に記述されたテキストデータを転送先指示コマンドに指定される宛先情報の端末装置へ転送する処理を実行する。なお、第３の実施の形態においてもテキストデータ（コマンド）を送信するためのＳＩＰメソッドは、「ＭＥＳＳＡＧＥ」に限定されず、ユーザにより指定された任意のテキストデータを送信できるものであれば、その他の種類のものを使用してもよい。
【００５９】
以下、第３の実施の形態に係るファクシミリ装置５０が画像データを送受信する際の処理動作について図面に基づいて詳細に説明する。なお、第１の実施の形態に係るファクシミリ装置と同様の構成及び処理動作については、図面において同一符号を付してその説明を省略する。また、説明の便宜のため、第３の実施の形態においても、発呼側となるファクシミリ装置５０を送信機５０Ａ、被呼側となるファクシミリ装置５０を受信機５０Ｂと称して説明する。
【００６０】
ファクシミリ装置５０には、ＳＩＰメソッド「ＭＥＳＳＡＧＥ」により受信したテキストデータの転送を示す転送指示コマンドと転送先を示す転送先指示コマンドが予め設定されている。具体的には、転送指示コマンドとして「メッセージ転送」が、転送先指示コマンドとして「送信先」が設定されており、受信機５０Ｂは、これらコマンドを受信すると転送先指示コマンドに指示された宛先へ受信したテキストデータの所定領域に記述されたメッセージを転送する。
【００６１】
送信機５０Ａと受信機５０Ｂが画像データ及びコマンドを含むテキストデータを送受信する場合に形成される手順を図１３に示す。図示するように、確立されたメディアセッションで送信機５０Ａから受信機５０Ｂへ原稿の画像データが送信された後（図１３に示す手順は例示であり、原稿の画像データの送信前又は送信中であってもよい。）、前記画像データの送信処理とは別個独立したタイミングで送信機５０Ａは、ユーザの操作に基づき指定された転送指示コマンド５１ａ、転送先指示５１ｂを所定のテキスト形式で記述したテキストデータと、同じくユーザの操作に基づき指定されたコマンド以外のメッセージとしてのテキストデータとをＳＩＰメソッド「ＭＥＳＳＡＧＥ」により受信機５０Ｂに対して、メディアセッションが確立されている間に電子メールにて送信する。図１３に例示するように、ＳＩＰメソッド「ＭＥＳＳＡＧＥ」により送信機５０Ａから受信機５０Ｂへ送信されるテキストデータ５２において、コマンド５１ａ、５１ｂは、コマンドとその他のテキストデータとの識別が可能なように、特定の形式にて記述されている。つまり、送信機５０Ａは、コマンドを特定の記号「＜」と「＞」で囲んだテキストデータを送信し、これを受信した受信機５０Ｂは、当該特定の記号に囲まれた部分を抽出してそれが「メッセージ転送」である場合に、テキストデータ５２の所定領域に記述されたものを、転送宛先情報を示すコマンド「送信先」に示される宛先情報に転送する。なお、本実施の形態においては、受信機５０Ｂは、受信したテキストデータのうち所定領域に記述されたもの、例えばコマンド５１ａとコマンド５１ｂの間に記述されたものが転送されるようになっているが、受信したテキストデータ５２の全てを転送するようにしてもよい。また、テキストデータの転送に利用する通信手段は、図１３において、電子メールを例に挙げて説明しているが、これに限定されず、Ｇ３ファクシミリ通信など、その他の通信手段により転送するようにしてもよい。
【００６２】
上記した送信機５０Ａの処理動作について図１４に示すフローチャートに基づいて、更に詳細に説明する。
【００６３】
送信機５０Ａにおいて、ユーザによりファクシミリ送信操作がなされ、Ｓ２において、指定された宛先電話番号（宛先情報）が、ＩＰ電話番号であると判断した場合（Ｓ２：ＹＥＳ）、原稿の画像データとともにメッセージを送信するか、原稿の画像データとともにメッセージを送信し更にそのメッセージを他の端末装置へ転送するように要求するか、或いは、原稿の画像データのみを送信するか、の指示をユーザに求めるための処理動作が行われる。例えば図１５に示すような、画面２１Ｂを表示部１１に表示する。該画面２１Ｂには、「原稿とメッセージを送信」、「原稿とメッセージを送信し、メッセージの転送を要求」、「原稿のみを送信」等の選択可能な項目が表示される。所定操作により何れかの項目が選択されると、それぞれ対応する画面が表示部１１に表示される。
【００６４】
「原稿とメッセージを送信」が選択されると、送信機５０Ａは、原稿の画像データとともにメッセージを送信すると判断し（Ｓ５０１：メッセージ付加）、Ｓ６へ移行して、第１の実施の形態で説明したＳ１０１乃至Ｓ１０８の処理動作を実行する。
【００６５】
「原稿とメッセージを送信し、メッセージの転送を要求」が選択されると、送信機５０Ａは、原稿の画像データとともにテキストデータを送信し、更にそのテキストデータの転送を要求すると判断し（Ｓ５０１：メッセージ転送）、ユーザの所定操作によりテキストデータ及びそのテキストデータの転送宛先情報が指定される（Ｓ５０２）。
【００６６】
Ｓ５０２におけるテキストデータ等の指定は、前記Ｓ１で指定されたＩＰ電話番号に対応付けて第１テーブル４ｂに登録されたテキストデータからの選択、原稿の種別に対応付けて第２テーブル４ｃに登録されたテキストデータからの選択、又はユーザが直接文字等を入力操作することにより行われる。具体的には、送信機５０Ａは、前記Ｓ５０１の判断後、例えば図１５に示すような、テキストデータの指定方式を選択するための画面２２を表示部１１に表示する（Ｓ１０１）。該画面２２においては、「ＩＰ電話番号に対応付けて登録したテキストデータから選択する。」、「原稿種別に対応付けて登録したテキストデータから選択する。」、「直接入力する。」等の選択可能な項目が表示される。所定操作により何れかの項目が選択されると、それぞれ対応する画面２３Ｂ、２４Ｂ、２５Ｂが表示部１１に表示される。
【００６７】
「ＩＰ電話番号に対応付けて登録したテキストデータから選択する。」と表示された項目が選択されると（Ｓ１０２：宛先対応）、第１テーブル４ｂにおいて前記Ｓ１で指定されたＩＰ電話番号に対応付けて記憶されているテキストデータを選択可能に表示するテキストデータ選択画面２３Ｂが表示部１１に表示される（Ｓ６０１）。該画面２３Ｂにおいては、転送宛先情報を入力するための入力欄も表示される。該画面２３Ｂにおいて表示されたテキストデータの何れかが所定操作により選択され、入力欄に宛先情報が入力されると、その選択結果及び入力された宛先情報が、後にテキストデータが送信されるまで、ＲＡＭ４に記憶される（Ｓ６０２）。
【００６８】
「原稿種別に対応付けて登録したテキストデータから選択する。」と表示された項目が選択されると（Ｓ１０２：原稿種別対応）、第２テーブル４ｃに登録されている原稿種別を選択可能に表示する原稿種別選択画面２４が表示部１１に表示される（Ｓ６０３）。該画面２４Ｂにおいては、転送宛先情報を入力するための入力欄も表示される。該画面２４Ｂにおいて表示された原稿種別の何れかが所定操作により選択され、入力欄に宛先情報が入力されると、その選択結果及び入力された宛先情報が、後にテキストデータが送信されるまで、ＲＡＭ４に記憶される（Ｓ６０４）。
【００６９】
「直接入力する。」と表示された項目が選択されると（Ｓ１０２：直接入力）、例えば図１５に示すように、テキストデータ及び転送宛先の入力画面２５Ｂを表示部１１に表示し（Ｓ６０５）、操作部１１のキー操作等によりテキストデータがそれぞれ直接入力操作された場合に、その入力されたテキストデータ（メッセージ及び転送宛先情報）が後に送信されるまで記憶される（Ｓ６０６）。
【００７０】
一方、前記Ｓ５０１において、「原稿のみを送信する。」が選択され、送信機５０Ａが原稿の画像データのみを送信すると判断した場合（Ｓ５０１：原稿のみ送信）、Ｓ６の処理動作が実行された場合、或いは、Ｓ５０２の処理動作が実行された場合は、送信機５０Ａは、続いてＳ７乃至Ｓ９の処理動作を実行する。
【００７１】
そして、前記Ｓ５０１で、原稿の画像データとともにメッセージを送信すると判断した場合は、送信するテキストデータの転送指示を行わないと判断し（Ｓ５０３：ＮＯ）、Ｓ１１へ移行して、前記Ｓ１０４、Ｓ１０６、又はＳ１０８において記憶した選択結果又は入力されたテキストデータに基づいて、指定された送信すべきテキストデータを読み出して、それをＳＩＰメソッド「ＭＥＳＳＡＧＥ」により受信機５０Ｂへ送信する（Ｓ１１）。
【００７２】
一方、前記Ｓ５０１で、原稿の画像データとともにテキストデータを送信し、更にそのテキストデータの転送を要求すると判断した場合は、送信するテキストデータの転送指示を行うと判断し（Ｓ５０３：ＹＥＳ）、前記Ｓ６０２、Ｓ６０４又はＳ６０６において記憶した選択結果又は入力された情報に基づいて、指定された送信すべきテキストデータ及びそのテキストデータを転送する宛先情報を読出して、それをＳＩＰメソッド「ＭＥＳＳＡＧＥ」により受信機５０Ｂへ送信する（Ｓ５０４）。例えば図１３に示すように、順に、転送指示コマンドに「＜」及び「＞」を付した「＜メッセージ転送＞」、送信すべきテキストデータ（メッセージ）、転送先指示コマンドに「＜」及び「＞」を付した「＜送信先＞」、宛先情報を記述してなるテキストデータをＳＩＰメソッド「ＭＥＳＳＡＧＥ」により受信機５０Ｂへ送信する（Ｓ５０４）。
【００７３】
前記Ｓ５０１で、原稿の画像データのみを送信すると判断した場合は、Ｓ１０において、テキストデータの送信を行わないと判断し（Ｓ１０：ＮＯ）、テキストデータの送信処理を行わずに「ＢＹＥ」を送出して受信機５０Ｂとの通信を切断する（Ｔ４）。
【００７４】
つぎに、原稿の画像データを受信する受信機５０Ｂの処理動作を図１７に示すフローチャートに基づいて詳細に説明する。受信機５０Ｂは、送信機５０Ａからメディアセッションで原稿の画像データを受信するとともに（Ｓ７０１）、ＳＩＰメソッド「ＭＥＳＳＡＧＥ」によりテキストデータを受信すると（Ｓ７０２：ＹＥＳ）、そのテキストデータに転送指示コマンドが含まれているか否かを判断する（Ｓ７０３）。すなわち、受信テキストデータに転送指示コマンド「＜メッセージ＞」が含まれている場合に受信したテキストデータが転送すべきものであると判断し（Ｓ７０３：ＹＥＳ）、「＜メッセージ＞」と「＜送信先＞」の間に記述されている情報を転送すべきテキストデータとして抽出するとともに、転送先指示コマンド「＜送信先＞」に続いて記述されている情報をテキストデータの転送先となる宛先情報として抽出する（Ｓ７０４）。
【００７５】
そして、抽出した転送すべきテキストデータを通知メッセージとして記述したファイル（例えば電子メールファイル）を作成し（Ｓ７０５）、これを転送先指示コマンドに指示される宛先情報（例えばメールアドレス）に対して送信する（Ｓ７０６）。その後、メディアセッションで受信した原稿の画像データの受信処理、例えば記録部１０による印刷処理等、を実行する（Ｓ７０７）。なお、宛先情報が記述されていない場合には、ファクシミリ装置５０に予め設定された所定の宛先（メールアドレス、ファクシミリ番号等）へ前記通知メッセージを転送するようにしてもよい。
【００７６】
一方、前記Ｓ７０２において否定判断をした場合には、通常の受信処理、例えば印刷処理、所定クライアントＰＣへの配信処理等、を実行する（Ｓ７０８）。前記Ｓ７０３において否定判断した場合には、受信テキストデータの出力処理（例えば表示部１１への表示等）を行う（Ｓ７０９）。
【００７７】
なお、第３の実施の形態においては、送信機５０Ａは、Ｓ９の画像データの送信処理を行った後、Ｓ１１、Ｓ５０４のテキストデータ（コマンド、メッセージ等）の送信処理を行っているが、Ｓ９の画像データの送信処理を行う前に、Ｓ１０、Ｓ５０３、Ｓ１１の処理動作、或いはＳ１０、Ｓ５０３、Ｓ５０４の処理動作を行うようにしてもよい。また、Ｓ９の画像データの送信処理をしながら、Ｓ１０、Ｓ５０３、Ｓ１１の処理動作、或いはＳ１０、Ｓ５０３、Ｓ５０４の処理動作を行うようにしてもよい。
【００７８】
以上の説明から明らかなように、第３の実施の形態に係るファクシミリ装置５０によれば、ＳＩＰにより確立したメディアセッションで原稿の画像データをしながらテキストデータを送受信することができ、更に受信機５０Ｂが受信したテキストデータをその他の端末装置へ自動的に転送させることができる。これにより、例えば、受信機５０Ｂを利用するユーザが受信機５０Ｂから離れた場所に居る場合に当該ユーザの近くにある端末装置に対して、原稿を送付した旨等を通知することができ、受信側のユーザは受信原稿に対して迅速な対応をとることができる。
【産業上の利用可能性】
【００７９】
本発明は、例えば、ＳＩＰにより確立したメディアセッションで画像データを送受信するファクシミリ装置に適用することができる。
【図面の簡単な説明】
【００８０】
【図１】本発明の実施の形態に係るファクシミリ装置の構成例等を示した図である。
【図２】宛先ＩＰ電話番号（宛先情報）とテキストデータを対応付けて登録したテーブルの一例を示す図である。
【図３】原稿種別とテキストデータを対応付けて登録したテーブルの一例を示す図である。
【図４】本発明の実施の形態に係るファクシミリ装置同士がＩＰファクシミリ通信を実行する際に形成する通信手順の一例の概略を示したシーケンス図である。
【図５】本発明の実施の形態に係るファクシミリ装置がＩＰファクシミリ送信又はＧ３ファクシミリ送信する際に実行する処理動作を示したフローチャートである。
【図６】テキストデータの指定が行われる際に実行される発呼側ファクシミリ装置の処理動作を示したフローチャートである。
【図７】テキストデータの指定が行われる際に発呼側ファクシミリ装置において表示される表示画面の具体例を示した図である。
【図８】本発明の第２の実施の形態に係るファクシミリ装置同士がＩＰファクシミリ通信を実行する際に形成する通信手順の一例の概略を示したシーケンス図である。
【図９】本発明の第２の実施の形態に係る発呼側ファクシミリ装置がＩＰファクシミリ送信又はＧ３ファクシミリ送信する際に実行する処理動作を示したフローチャートである。
【図１０】本発明の第２の実施の形態において、発呼側ファクシミリ装置で、コマンドの指定が行われる際に実行される発呼側ファクシミリ装置の処理動作を示したフローチャートである。
【図１１】コマンドの指定が行われる際に発呼側ファクシミリ装置において表示される表示画面の具体例を示した図である。
【図１２】本発明の第２の実施の形態に係るファクシミリ装置において、ＩＰファクシミリの着信があった場合に実行される被呼側ファクシミリ装置の処理動作を示したフローチャートである。
【図１３】本発明の第３の実施の形態に係るファクシミリ装置同士がＩＰファクシミリ通信を実行する際に形成する通信手順の一例の概略を示したシーケンス図である。
【図１４】本発明の第３の実施の形態に係る発呼側ファクシミリ装置がＩＰファクシミリ送信又はＧ３ファクシミリ送信する際に実行する処理動作を示したフローチャートである。
【図１５】本発明の第３の実施の形態において、メッセージ及び転送宛先情報の指定が行われる際に発呼側ファクシミリ装置において表示される表示画面の具体例を示した図である。
【図１６】本発明の第３の実施の形態において、メッセージ及び転送宛先情報の指定が行われる際に実行される発呼側ファクシミリ装置の処理動作を示したフローチャートである。
【図１７】本発明の第３の実施の形態に係るファクシミリ装置において、ＩＰファクシミリの着信があった場合に実行される被呼側ファクシミリ装置の処理動作を示したフローチャートである。
【符号の説明】
【００８１】
１、１Ａ、１Ｂ、３０、３０Ａ、３０Ｂ、５０、５０Ａ、５０Ｂ    ファクシミリ装置
２    ＣＰＵ
３    ＲＯＭ
４    ＲＡＭ
４ｂ    宛先情報とテキストデータを対応付けて記憶する第１テーブル
４ｃ    原稿種別とテキストデータを対応付けて記憶する第２テーブル
２０  ＳＩＰサーバ
２３    テキストデータの選択指定画面
２４    原稿種別の選択指定画面
２５    テキストデータの入力画面
３１ａ、３１ｂ、５１ａ、５１ｂ    コマンド
３２、５２    呼制御プロトコルのメソッドにより送信されるテキストデータ
２３Ａ    コマンドの選択指定画面
２５Ａ    コマンドの入力画面
２３Ｂ    テキストデータの選択指定画面及び転送宛先情報の入力画面
２４Ｂ    原稿種別の選択指定画面及び転送宛先情報の入力画面
２５Ｂ    テキストデータ及び転送宛先情報の入力画面
【図１】
2006025178.tif 000003
【図２】
2006025178.tif 000004
【図３】
2006025178.tif 000005
【図４】
2006025178.tif 000006
【図５】
2006025178.tif 000007
【図６】
2006025178.tif 000008
【図７】
2006025178.tif 000009
【図８】
2006025178.tif 000010
【図９】
2006025178.tif 000011
【図１０】
2006025178.tif 000012
【図１１】
2006025178.tif 000013
【図１２】
2006025178.tif 000014
【図１３】
2006025178.tif 000015
【図１４】
2006025178.tif 000016
【図１５】
2006025178.tif 000017
【図１６】
2006025178.tif 000018
【図１７】
2006025178.tif 000019